【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
ホルダに取り付けた剃刀ヘッドは、刃体を組み付けた刃組付体と、その刃組付体において刃体の刃先が露出し得る表側に対する反対側で裏側に設けた弾性支持体と、前記ホルダの頭部に連続する接続部とを備え、前記剃刀ヘッドの弾性支持体は、前記剃刀ヘッドの刃組付体に支持した支持部と、この支持部と前記剃刀ヘッドの接続部との間に設けた可撓部とを備え、前記剃刀ヘッドの刃組付体は剃刀ヘッドの弾性支持体の可撓部により付勢されて静止する中立位置に対しその可撓部の付勢力に抗して移動した移動位置を取り得るように構成されており、
前記剃刀ヘッドの接続部と刃組付体とにはその接続部に対し刃組付体を支え得る支点部を有しており、
前記剃刀ヘッドの弾性支持体において、前記可撓部は一対の支持部間でそれらの支持部と前記剃刀ヘッドの接続部との間に設けられており、
両可撓部は刃体の刃先の延設方向に沿う左右方向の両側で両支持部と接続部との間に配置されており、
前記剃刀ヘッドにおいて接続部の支点部と刃組付体の支点部とは、刃体の刃先の延設方向に沿う左右方向に対し直交する上下方向で刃体の刃先の下方に配置されていることを特徴とする首振り式剃刀。
【請求項２】
前記剃刀ヘッドにおいて接続部は刃組付体の裏側に向けて突出して自由端部を有する突片部を有し、前記支点部はその突片部の自由端部に形成されていることを特徴とする請求項１に記載の首振り式剃刀。
【請求項３】
前記剃刀ヘッドの刃組付体は弧状の移動方向における移動位置を取り得る請求項１又は２に記載の首振り式剃刀。
【請求項４】
前記剃刀ヘッドの接続部の支点部は、前記剃刀ヘッドの刃組付体の移動方向に沿う弧形状に形成されていることを特徴とする請求項３に記載の首振り式剃刀。
【手続補正２】
【補正対象書類名】明細書
【補正対象項目名】０００５
【補正方法】変更
【補正の内容】
【０００５】
後記実施形態の図面（図１〜９）の符号を援用して本発明を説明する。
請求項１の発明にかかる首振り式剃刀において、ホルダ（１）に取り付けた剃刀ヘッド（２）は、刃体（１０）を組み付けた刃組付体（４）と、その刃組付体（４）で刃体（１０）の刃先（１０ａ）が露出し得る表側に対する反対側で裏側に設けた弾性支持体（５）と、ホルダ（１）の頭部（２４）に連続する接続部（６）とを備えている。剃刀ヘッド（２）の弾性支持体（５）は、剃刀ヘッド（２）の刃組付体（４）に支持した支持部（７）と、この支持部（７）と剃刀ヘッド（２）の接続部（６）との間に設けた可撓部（８）とを備えている。剃刀ヘッド（２）の刃組付体（４）は剃刀ヘッド（２）の弾性支持体（５）の可撓部（８）により付勢されて静止する中立位置（Ｐ）に対しその可撓部（８）の付勢力に抗して移動した移動位置（Ｑ）を取り得るように構成されている。剃刀ヘッド（２）の接続部（６）と刃組付体（４）とにはその接続部（６）に対し刃組付体（４）を支え得る支点部（１３，２１）を有している。剃刀ヘッド（２）の弾性支持体（５）において、可撓部（８）は一対の支持部（１４ｂ，１５）（１４ｃ，１５）間でそれらの支持部（１４ｂ，１５）（１４ｃ，１５）と剃刀ヘッド（２）の接続部（６）との間に設けられている。両可撓部（８）は、刃体（１０）の刃先（１０ａ）の延設方向に沿う左右方向（Ｙ）の両側で両支持部（１４ｂ，１５）（１４ｃ，１５）と接続部（６）との間に配置されている。接続部（６）の支点部（２１）と刃組付体（４）の支点部（１３）とは、刃体（１０）の刃先（１０ａ）の延設方向に沿う左右方向（Ｙ）に対し直交する上下方向（Ｚ）で刃体（１０）の刃先（１０ａ）の下方に配置されている。ちなみに、刃組付体（４）の移動方向（ＸＶ，ＸＨ）は一つまたは複数であって、一つまたは複数の移動方向（ＸＶ，ＸＨ）において、中立位置（Ｐ）から移動した移動位置（Ｑ）は一つまたは複数である。
【手続補正３】
【補正対象書類名】明細書
【補正対象項目名】０００７
【補正方法】変更
【補正の内容】
【０００７】
また、使用時に刃組付体（４）を可撓部（８）の付勢力に抗して移動させる際に支点部（１３，２１）で支えて刃組付体（４）の動きを安定させることができる。例えば、それらの支点部（１３，２１）が刃組付体（４）の中立位置（Ｐ）及び移動位置（Ｑ）でそれぞれ互いに当接して支えれば、接続部（６）に対する刃組付体（４）の移動を中立位置（Ｐ）及び移動位置（Ｑ）で安定させることができる。
【手続補正４】
【補正対象書類名】明細書
【補正対象項目名】０００８
【補正方法】変更
【補正の内容】
【０００８】
また、弾性支持体（５）において可撓部（８）を各支持部（１４ｂ，１５）（１４ｃ，１５）と接続部（６）との間で安定させて設けることができる。
【手続補正５】
【補正対象書類名】明細書
【補正対象項目名】０００９
【補正方法】変更
【補正の内容】
【０００９】
また、剃刀ヘッド（２）において左右方向（Ｙ）に対し直交する前後方向（Ｘ）の寸法を小さくして剃刀ヘッド（２）をコンパクトにすることができる。
【手続補正６】
【補正対象書類名】明細書
【補正対象項目名】００１０
【補正方法】変更
【補正の内容】
【００１０】
また、支点部（１３，２１）の上方で刃組付体（４）及びその刃体（１０）に付与される力により、刃組付体（４）を容易に移動させることができる。
【手続補正７】
【補正対象書類名】明細書
【補正対象項目名】００１１
【補正方法】変更
【補正の内容】
【００１１】
請求項１の発明を前提とする請求項２の発明にかかる剃刀ヘッド（２）において、接続部（６）は刃組付体（４）の裏側に向けて突出して自由端部を有する突片部（１９）を有し、支点部（２１）はその突片部（１９）の自由端部に形成されている。この突片部は例えば板状の舌片部（１９）であって、その舌片部（１９）においては、刃体（１０）の刃先（１０ａ）の延設方向に沿う左右方向（Ｙ）の幅や、その左右方向（Ｙ）に対し直交する前後方向（Ｘ）の長さより、その左右方向（Ｙ）及び前後方向（Ｘ）に直交する上下方向（Ｚ）の厚さを小さく設定している。また、その舌片部（１９）においては、前後方向（Ｘ）の長さより左右方向（Ｙ）の幅を小さく設定している。請求項２の発明では、支点部（２１）を容易に形成することができる。
【手続補正８】
【補正対象書類名】明細書
【補正対象項目名】００１２
【補正方法】変更
【補正の内容】
【００１２】
請求項１又は２に記載の発明を前提とする請求項３の発明において、剃刀ヘッド（２）の刃組付体（４）は弧状の移動方向（ＸＶ，ＸＨ）における移動位置（Ｑ）を取り得る。請求項３の発明では、支点部（１３，２１）を中心に刃組付体（４）を容易に移動させることができる。
【手続補正９】
【補正対象書類名】明細書
【補正対象項目名】００１３
【補正方法】変更
【補正の内容】
【００１３】
請求項３の発明を前提とする請求項４の発明において、剃刀ヘッド（２）の接続部（６）の支点部（２１）は、剃刀ヘッド（２）の刃組付体（４）の移動方向（ＸＶ，ＸＨ）に沿う弧形状に形成されている。請求項４の発明では、刃組付体（４）の支点部（１３）に対する接続部（６）の支点部（２１）の当接位置が刃組付体（４）の移動に伴い変化するため、各支点部（１３，２１）間の接触抵抗を軽減し、使用時に滑らかに操作して肌面に対する感触を良くすることができる。
【手続補正１０】
【補正対象書類名】明細書
【補正対象項目名】００１４
【補正方法】変更
【補正の内容】
【００１４】
次に、請求項以外の技術的思想について実施形態の図面の符号を援用して説明する。
請求項１の発明を前提とする第５の発明にかかる剃刀ヘッド（２）において、接続部（６）の支点部（２１）と刃組付体（４）の支点部（１３）とは、剃刀ヘッド（２）の弾性支持体（５）の両可撓部（８）で両支持部（１４ｂ，１５）（１４ｃ，１５）に隣接する外端部（８ｂ）を互いに結ぶ想定空域（Ｓ）の内側に配置されている。ここに想定空域（Ｓ）とは、両可撓部（８）の外端部（８ｂ）を互いに結ぶ想定線（Ｌ）上、または、その想定線（Ｌ）の外周を囲う筒状空域を意味する。第５の発明では、両外端部（８ｂ）を互いに結ぶ想定空域（Ｓ）の内側に支点部（１３，２１）が配置されているので、使用時に刃組付体（４）を可撓部（８）の付勢力に抗して移動させる際に可撓部（８）の動きを安定させ、刃組付体（４）を滑らかに移動させることができる。
【手続補正１１】
【補正対象書類名】明細書
【補正対象項目名】００１５
【補正方法】変更
【補正の内容】
【００１５】
請求項１〜４のうちいずれか一つの請求項の発明、または第５の発明を前提とする第６の発明において、剃刀ヘッド（２）の刃組付体（４）は複数の移動方向（ＸＶ，ＸＨ）における移動位置（Ｑ）を取り得る。第６の発明では、刃組付体（４）が複数の移動方向（ＸＶ，ＸＨ）に移動して首振り式剃刀の剃り味を高めることができる。例えば、接続部（６）の支点部（２１）と刃組付体（４）の支点部（１３）とが、刃組付体（４）の各移動位置（Ｑ）でそれぞれ互いに当接して支えれば、接続部（６）に対する刃組付体（４）の移動を各移動位置（Ｑ）で安定させることができる。
【手続補正１２】
【補正対象書類名】明細書
【補正対象項目名】００１６
【補正方法】変更
【補正の内容】
【００１６】
請求項３〜４のうちいずれか一つの請求項の発明、または第５〜６の発明のうちいずれか一つの発明を前提とする第７の発明にかかる刃組付体（４）は、刃体（１０）の刃先（１０ａ）の延設方向に沿う左右方向（Ｙ）と、その左右方向（Ｙ）に対し直交する前後方向（Ｘ）と、その左右方向（Ｙ）及び前後方向（Ｘ）に直交する上下方向（Ｚ）とのうち、その前後方向（Ｘ）及び上下方向（Ｚ）を含む鉛直面（Ｖ）上で弧状に移動する移動方向（ＸＶ）における移動位置（Ｑ）と、その左右方向（Ｙ）及び前後方向（Ｘ）を含む水平面（Ｈ）上で弧状に移動する移動方向（ＸＨ）における移動位置（Ｑ）とを取り得る。第７の発明では、刃組付体（４）が鉛直面（Ｖ）上の移動方向（ＸＶ）と水平面（Ｈ）上の移動方向（ＸＨ）とで弧状に移動して首振り式剃刀の剃り味を高めることができる。
【手続補正１３】
【補正対象書類名】明細書
【補正対象項目名】００１７
【補正方法】変更
【補正の内容】
【００１７】
請求項１〜４のうちいずれか一つの請求項の発明、または第５〜７の発明のうちいずれか一つの発明を前提とする第８の発明において、剃刀ヘッド（２）の弾性支持体（５）の両可撓部（８）は、剃刀ヘッド（２）の接続部（６）に隣接する内端部（８ａ）と、この弾性支持体（５）の両支持部（１４ｂ，１５）（１４ｃ，１５）に隣接する外端部（８ｂ）と、その両外端部（８ｂ）を互いに結ぶ想定空域（Ｓ）とにおいて、その内端部（８ａ）から外端部（８ｂ）に向かうに従い想定空域（Ｓ）に接近するように傾斜する傾斜部（１６）を有している。第８の発明では、両可撓部（８）において内端部（８ａ）と外端部（８ｂ）との間の長さを傾斜部（１６）により長くして撓み易くすることができる。
【手続補正１４】
【補正対象書類名】明細書
【補正対象項目名】００１８
【補正方法】変更
【補正の内容】
【００１８】
第８の発明を前提とする第９の発明において、両可撓部（８）の間隔は可撓部（８）の内端部（８ａ）から外端部（８ｂ）に向かうに従い次第に大きくなっている。第９の発明では、両可撓部（８）に傾斜部（１６）を容易に形成することができる。
【手続補正１５】
【補正対象書類名】明細書
【補正対象項目名】００１９
【補正方法】変更
【補正の内容】
【００１９】
請求項１〜４のうちいずれか一つの請求項の発明、または第５〜９の発明のうちいずれか一つの発明を前提とする第１０の発明において、剃刀ヘッド（２）の弾性支持体（５）の両支持部（１４ｂ，１５）（１４ｃ，１５）と剃刀ヘッド（２）の接続部（６）とは、この弾性支持体（５）の両可撓部（８）と一体成形した連続部（１５，１７）を有している。第１０の発明では、この連続部（１５，１７）で弾性支持体（５）の両支持部（１４ｂ，１５）（１４ｃ，１５）及び剃刀ヘッド（２）の接続部（６）に両可撓部（８）を簡単に取り付けることができる。
【手続補正１６】
【補正対象書類名】明細書
【補正対象項目名】００２０
【補正方法】変更
【補正の内容】
【００２０】
請求項１〜４のうちいずれか一つの請求項の発明、または第５〜１０の発明のうちいずれか一つの発明を前提とする第１１の発明において、剃刀ヘッド（２）の接続部（６）とホルダ（１）の頭部（２４）とにはその頭部（２４）に対し接続部（６）を着脱可能に連結する連結部（２０，２５）を有している。第１１の発明では、ホルダ（１）に剃刀ヘッド（２）を連結部（２０，２５）で着脱させることができる。
【手続補正１７】
【補正対象書類名】明細書
【補正対象項目名】００２１
【補正方法】変更
【補正の内容】
【００２１】
請求項１〜４のうちいずれか一つの請求項の発明、または第５〜１１の発明のうちいずれか一つの発明を前提とする第１２の発明において、剃刀ヘッド（２）の刃組付体（４）に被せられるキャップ（３）を備え、剃刀ヘッド（２）の接続部（６）とキャップ（３）とには刃組付体（４）を移動させる際にその移動範囲を規制するストッパ部（２８，２９）を設けた。第１２の発明では、刃組付体（２）を保護するキャップ（３）と剃刀ヘッド（２）の接続部（６）とを有効に利用して刃組付体（２）の移動範囲を規制することができる。
【手続補正１８】
【補正対象書類名】明細書
【補正対象項目名】００２２
【補正方法】変更
【補正の内容】
【００２２】
第１２の発明を前提とする第１３の発明において、キャップ（３）は剃刀ヘッド（２）の刃組付体（４）の裏側で剃刀ヘッド（２）の接続部（６）に面する裏板部（２７）を有し、ストッパ部（２８，２９）はその裏板部（２７）と剃刀ヘッド（２）の接続部（６）とに設けられている。第１３の発明では、キャップ（３）において刃組付体（４）の裏側で剃刀ヘッド（２）の接続部（６）に面する裏板部（２７）を設けて刃組付体（４）の移動範囲を規制することができる。